(57)【要約】【課題】ネットワークを介して画像供給装置と接続された視聴者側のＰＣにおけるスクリーンセーバーの起動を防止することが可能なプロジェクタ等を提供すること。【解決手段】ＰＣから供給画像情報を入力する入力部１１０と、タイマー部１２０と、タイマー部１２０のタイマー値に基づき、スクリーンセーバーの起動設定時間よりも短い一定時間ごとに操作情報をＰＣの判定部へ向け出力する操作情報出力部１３０とを含んで構成される。【選択図】図２
2007219170.tif 000002
【特許請求の範囲】
【請求項１】
ＰＣと接続されたプロジェクタであって、
前記ＰＣは、
ネットワークを介して画像供給装置から供給画像情報を受信する受信部と、
ユーザーの操作に基づいて操作情報を生成する操作部と、
前記操作情報に基づいて設定時間の間操作がないかどうかを判定する判定部と、
前記供給画像情報を前記プロジェクタに出力するとともに、前記設定時間以上操作がない場合にスクリーンセーバー画像を表示するためのスクリーンセーバー画像情報を前記プロジェクタに出力する出力部と、
を含み、
前記プロジェクタは、
前記供給画像情報を入力する入力部と、
タイマー部と、
前記タイマー部のタイマー値に基づき、前記設定時間よりも短い一定時間ごとに前記操作情報を前記判定部へ向け出力する操作情報出力部と、
を含むことを特徴とするプロジェクタ。
【請求項２】
請求項１に記載のプロジェクタにおいて、
前記操作情報は、マウス移動情報であることを特徴とするプロジェクタ。
【請求項３】
請求項１、２のいずれかに記載のプロジェクタにおいて、
前記操作情報は、一旦マウスカーソルを移動させた後に当該マウスカーソルを元の場所に戻すことを示すマウス移動情報であることを特徴とするプロジェクタ。
【請求項４】
請求項１〜３のいずれかに記載のプロジェクタにおいて、
前記一定時間を調整する調整部を含み、
前記入力部は、前記ＰＣから前記設定時間を示す設定時間情報を入力し、
前記調整部は、前記設定時間情報に基づき、前記一定時間を調整することを特徴とするプロジェクタ。
【請求項５】
ＰＣと接続されたプロジェクタの有するコンピュータにより読み取り可能なプログラムであって、
前記ＰＣは、
ネットワークを介して画像供給装置から供給画像情報を受信する受信部と、
ユーザーの操作に基づいて操作情報を生成する操作部と、
前記操作情報に基づいて設定時間の間操作がないかどうかを判定する判定部と、
前記供給画像情報を前記プロジェクタに出力するとともに、前記設定時間以上操作がない場合にスクリーンセーバー画像を表示するためのスクリーンセーバー画像情報を前記プロジェクタに出力する出力部と、
を含み、
前記プログラムは、前記コンピュータを、
前記供給画像情報を入力する入力部と、
タイマー部と、
前記タイマー部のタイマー値に基づき、前記設定時間よりも短い一定時間ごとに前記操作情報を前記判定部へ向け出力する操作情報出力部として機能させることを特徴とするプログラム。
【請求項６】
請求項５に記載のプログラムを記憶した、コンピュータ読み取り可能な情報記憶媒体。
【発明の詳細な説明】
【技術分野】
【０００１】
本発明は、ネットワーク形態で使用されるプロジェクタ、プログラムおよび情報記憶媒体に関する。
【背景技術】
【０００２】
例えば、プロジェクタとＰＣを接続して使用する場合、ＰＣのスクリーンセーバーが起動してしまうと、当該スクリーンセーバーの画像がプロジェクタから投写されてしまい、プレゼンテーションの効果を低下させてしまう。
【０００３】
スクリーンセーバーの動作を停止する手法として、例えば、特許文献１では、外部入力機器からの入力があった場合にスクリーンセーバーの動作を停止することが記載されている。
【特許文献１】特開平８−１９４５９９号公報
【発明の開示】
【発明が解決しようとする課題】
【０００４】
しかし、特許文献１ではネットワークでの使用が考慮されていない。
【０００５】
例えば、第１のプロジェクタと接続された操作者側のＰＣと、第２のプロジェクタと接続された視聴者側のＰＣがネットワークを介して接続されており、操作者側のＰＣからの画像情報に基づいて第２のプロジェクタが画像を投写する場合を想定する。
【０００６】
この場合、操作者側のＰＣでは操作が行われるため、スクリーンセーバーは起動しないが、視聴者側のＰＣではスクリーンセーバーが起動してしまい、第２のプロジェクタがスクリーンセーバーの画像を投写してしまう事態が発生し得る。
【０００７】
本発明の目的は、ネットワークを介して画像供給装置と接続された視聴者側のＰＣにおけるスクリーンセーバーの起動を防止することが可能なプロジェクタ、プログラムおよび情報記憶媒体を提供することにある。
【課題を解決するための手段】
【０００８】
上記課題を解決するため、本発明に係るプロジェクタは、
ＰＣと接続されたプロジェクタであって、
前記ＰＣは、
ネットワークを介して画像供給装置から供給画像情報を受信する受信部と、
ユーザーの操作に基づいて操作情報を生成する操作部と、
前記操作情報に基づいて設定時間の間操作がないかどうかを判定する判定部と、
前記供給画像情報を前記プロジェクタに出力するとともに、前記設定時間以上操作がない場合にスクリーンセーバー画像を表示するためのスクリーンセーバー画像情報を前記プロジェクタに出力する出力部と、
を含み、
前記プロジェクタは、
前記供給画像情報を入力する入力部と、
タイマー部と、
前記タイマー部のタイマー値に基づき、前記設定時間よりも短い一定時間ごとに前記操作情報を前記判定部へ向け出力する操作情報出力部と、
を含むことを特徴とする。
【０００９】
また、本発明に係るプログラムは、
ＰＣと接続されたプロジェクタの有するコンピュータにより読み取り可能なプログラムであって、
前記ＰＣは、
ネットワークを介して画像供給装置から供給画像情報を受信する受信部と、
ユーザーの操作に基づいて操作情報を生成する操作部と、
前記操作情報に基づいて設定時間の間操作がないかどうかを判定する判定部と、
前記供給画像情報を前記プロジェクタに出力するとともに、前記設定時間以上操作がない場合にスクリーンセーバー画像を表示するためのスクリーンセーバー画像情報を前記プロジェクタに出力する出力部と、
を含み、
前記プログラムは、前記コンピュータを、
前記供給画像情報を入力する入力部と、
タイマー部と、
前記タイマー部のタイマー値に基づき、前記設定時間よりも短い一定時間ごとに前記操作情報を前記判定部へ向け出力する操作情報出力部として機能させることを特徴とする。
【００１０】
また、本発明に係る情報記憶媒体は、コンピュータにより読み取り可能な情報記憶媒体であって、
上記プログラムを記憶したことを特徴とする。
【００１１】
本発明によれば、プロジェクタ等は、操作者の操作に関わらず、スクリーンセーバーが起動するよりも短い時間間隔で操作情報をＰＣに出力することにより、ネットワークを介して接続された視聴者側のＰＣにおけるスクリーンセーバーの起動を防止することができる。
【００１２】
また、前記操作情報は、マウス移動情報であってもよい。
【００１３】
また、前記操作情報は、一旦マウスカーソルを移動させた後に当該マウスカーソルを元の場所に戻すことを示すマウス移動情報であってもよい。
【００１４】
これによれば、プロジェクタ等は、マウスカーソルの位置を変化させないで済むため、ユーザーの操作に影響を与えることなく、スクリーンセーバーの起動を防止することができる。
【００１５】
また、前記プロジェクタは、前記一定時間を調整する調整部を含み、
前記入力部は、前記ＰＣから前記設定時間を示す設定時間情報を入力し、
前記調整部は、前記設定時間情報に基づき、前記一定時間を調整してもよい。
【００１６】
これによれば、プロジェクタ等は、実際の設定時間に応じてスクリーンセーバーの起動を防止することができるため、ＰＣとプロジェクタ間で必要となる通信量を低減することができる。
【発明を実施するための最良の形態】
【００１７】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１８】
図１は、本実施例におけるプロジェクタ１０の使用状態を示す図である。
【００１９】
本実施例においては、会議室５２０と会議室５３０との間で遠隔プレゼンテーションが行われている。具体的には、プレゼンターが入室している会議室５２０にＰＣ２１、プロジェクタ１１、スクリーン１４が配置され、視聴者が入室している会議室５３０にＰＣ２０、プロジェクタ１０、スクリーン１６が配置されている。
【００２０】
会議室５２０内のプレゼンターが、ＰＣ２１からの画像情報をプロジェクタ１１からスクリーン１４に投写することにより、会議室５２０内の視聴者に対してプレゼンテーションを行う。
【００２１】
また、画像供給装置の一種であるＰＣ２１は、上記画像情報を供給画像情報としてネットワーク３０を介して会議室５３０内のＰＣ２０へ向け送信する。
【００２２】
会議室５３０内のＰＣ２０は、供給画像情報をプロジェクタ１０に出力する。プロジェクタ１０は、供給画像情報に基づき、会議室５２０で投写されている画像と同様の画像をスクリーン１６へ向け投写する。会議室５３０内の視聴者はスクリーン１６に投写された画像を観る。
【００２３】
以上の手順により、遠隔地間での会議等のプレゼンテーションが行われる。
【００２４】
一般的に、ＰＣ２０、２１は、セキュリティーを確保する目的、省電力の目的等で、無操作状態で設定時間が経過した時点でスクリーンセーバーを起動（入力画像情報に関わらず、所定の動画像または静止画像を表示）するように構成されている。
【００２５】
より具体的には、ＰＣ２０は、ネットワーク３０を介してＰＣ２１から供給画像情報を受信する受信部と、ユーザーの操作に基づいて操作情報を生成する操作部と、操作情報に基づいて設定時間の間操作がないかどうかを判定する判定部と、供給画像情報をプロジェクタ１０に出力するとともに、設定時間以上操作がない場合にスクリーンセーバー画像を表示するためのスクリーンセーバー画像情報をプロジェクタ１０に出力する出力部とを含んで構成されている。
【００２６】
また、ＰＣ２０、２１は、遠隔プレゼンテーション等を行うためのアプリケーションソフトを実行する機能を有する。
【００２７】
ＰＣ２１は、プレゼンターによって操作されるため、スクリーンセーバーが起動する可能性は低い。しかし、ＰＣ２０は、プレゼンターや視聴者によって操作されないため、スクリーンセーバーが起動する可能性が高い。スクリーンセーバーが起動してしまうと、プロジェクタ１０によってスクリーンセーバー画像が投写されてしまい、本来投写されるべき画像が投写されないため、会議室５３０の視聴者は遠隔会議等を行えなくなってしまう。
【００２８】
本実施例では、ＰＣ２０が操作されない状況においてもスクリーンセーバーが起動することを防止するため、プロジェクタ１０は、一定時間ごとに操作情報をＰＣ２０に出力する機能を有する。
【００２９】
次に、このような機能を実装したプロジェクタ１０の機能ブロックについて説明する。
【００３０】
図２は、本実施例におけるプロジェクタ１０の機能ブロック図である。
【００３１】
プロジェクタ１０は、ＰＣ２０から供給画像情報を入力する入力部１１０と、タイマー部１２０と、タイマー部１２０のタイマー値に基づき、設定時間（ＰＣ２０におけるスクリーンセーバー起動までの時間）よりも短い一定時間ごとに操作情報をＰＣ２０の判定部へ向け出力する操作情報出力部１３０と、上記一定時間を調整する調整部１４０とを含んで構成されている。
【００３２】
また、プロジェクタ１０は、上記一定時間を示すスクリーンセーバー起動防止時間データ等を記憶する記憶部１５０と、画像を投写する投写部１６０とを含んで構成されている。
【００３３】
なお、これらの各部を実装するためのハードウェアとしては以下のものを採用可能である。例えば、入力部１１０としてはＵＳＢ端子等、操作情報出力部１３０としてはＣＰＵ、ＵＳＢ端子等、タイマー部１２０としてはシステムタイマー等、調整部１４０としてはＣＰＵ等、記憶部１５０としてはＲＡＭ等、投写部１６０としては液晶パネル、ドライバ等を採用可能である。
【００３４】
また、プロジェクタ１０は、情報記憶媒体２００からプログラムを読み取ることにより、これらの各部の機能を実装してもよい。
【００３５】
なお、情報記憶媒体２００としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体２００からのプログラムの読み取り方式は、接触式でも非接触式でもよい。また、プロジェクタ１０は、ネットワークを介してプログラムをダウンロードすることにより、これらの各部の機能を実装してもよい。
【００３６】
次に、これらの各部を用いたスクリーンセーバー起動防止処理の流れについて説明する。
【００３７】
図３は、本実施例におけるスクリーンセーバー起動防止処理の流れを示すフローチャートである。なお、プロジェクタ１０は、ＰＣ２０とＵＳＢケーブルで接続されているものとする。また、供給画像情報に基づく画像の投写の手法は一般的な手法であるため、説明を省略する。
【００３８】
まず、入力部１１０は、ＰＣ２０からＵＳＢケーブルを介してＰＣ２０のスクリーンセーバー起動までの時間を示す設定時間情報を入力する（ステップＳ１）。
【００３９】
そして、調整部１４０は、当該設定時間情報に基づき、記憶部１５０内のスクリーンセーバー起動防止時間データを更新することにより、スクリーンセーバー起動防止時間間隔を調整する（ステップＳ２）。例えば、設定時間が５分である場合、スクリーンセーバー起動防止時間間隔は５分未満であればよい。
【００４０】
操作情報出力部１３０は、タイマー部１２０のタイマー値を初期化（例えば、０等）する（ステップＳ３）。タイマー部１２０は、実際の時間の経過に応じてタイマー値を増加させる。
【００４１】
操作情報出力部１３０は、タイマー部１２０のタイマー値と、スクリーンセーバー起動防止時間データを比較することにより、スクリーンセーバー起動防止時間が経過したかどうかを判定する（ステップＳ４）。
【００４２】
スクリーンセーバー起動防止時間が経過していない場合、タイマー部１２０は、実際の時間の経過に応じてタイマー値を増加させる。
【００４３】
一方、スクリーンセーバー起動防止時間が経過した場合、操作情報出力部１３０は、操作情報の一種であるマウス移動情報を、ＵＳＢケーブルを介してＰＣ２０に出力する（ステップＳ５）。より具体的には、例えば、マウス移動情報は、一旦マウスカーソルを移動させた後に当該マウスカーソルを元の場所に戻す（例えば、マウスカーソルを１単位左に移動させた後に１単位右に移動させる等）ことを示すＵＳＢコマンドに準拠した情報である。
【００４４】
操作情報出力部１３０は、入力部１１０への供給画像情報の入力有無を判定することにより、処理を終了すべきかどうかを判定する（ステップＳ６）。
【００４５】
プロジェクタ１０は、処理を終了すべきでない場合、ステップＳ３〜Ｓ６の処理を繰り返し実行し、処理を終了すべきである場合は上記処理を終了する。
【００４６】
以上のように、本実施例によれば、プロジェクタ１０は、操作者の操作に関わらず、スクリーンセーバーが起動するよりも短い時間間隔で操作情報をＰＣ２０に出力することにより、ネットワークを介して接続された視聴者側のＰＣ２０におけるスクリーンセーバーの起動を防止することができる。
【００４７】
また、プロジェクタ１０は、操作情報として、上記のマウス移動情報を採用することにより、ＰＣ２０の画面におけるマウスカーソルの位置を変化させないで済むため、ユーザーの操作に影響を与えることなく、スクリーンセーバーの起動を防止することができる。
【００４８】
さらに、本実施例によれば、プロジェクタ１０は、実際のスクリーンセーバー起動の設定時間に応じてスクリーンセーバーの起動を防止することができるため、ＰＣ２０とプロジェクタ１０間で必要となる通信量を低減することができる。
【００４９】
なお、本発明の適用は上述した実施例に限定されず、種々の変形が可能である。
【００５０】
例えば、操作情報出力部１３０が出力する操作情報は、上述したマウス移動情報には限定されず、例えば、マウスカーソルを少しだけ移動させるマウス移動情報、マウスクリック等のマウス操作情報、ＵＳＢキーボードの任意のキーの操作情報等であってもよい。
【００５１】
また、上述した設定時間情報に基づく調整処理（ステップＳ１、Ｓ２）は必須ではない。例えば、操作情報出力部１３０は、一定時間（例えば、１分等）ごとに操作情報をＰＣ２０に出力してもよい。
【００５２】
また、プロジェクタは、前面投写型のプロジェクタ１０に限定されず、背面投写型のプロジェクタであってもよい。また、プロジェクタは、液晶プロジェクタには限定されず、ＣＲＴプロジェクタ、ＤＬＰプロジェクタ、ＬＥＤプロジェクタ等であってもよい。
【００５３】
また、ＰＣ２０に供給画像情報を供給する画像供給装置は、ＰＣ２１に限定されず、例えば、ＴＶ、ＤＶＤプレーヤー、ハードディスクレコーダー等の画像情報を出力可能な任意の装置であってもよい。
【図面の簡単な説明】
【００５４】
【図１】本実施例におけるプロジェクタの使用状態を示す図である。
【図２】本実施例におけるプロジェクタの機能ブロック図である。
【図３】本実施例におけるスクリーンセーバー起動防止処理の流れを示すフローチャートである。
【符号の説明】
【００５５】
１０、１１  プロジェクタ、２０、２１  ＰＣ、１４、１６  スクリーン、３０  ネットワーク、１１０  入力部、１２０  タイマー部、１３０  操作情報出力部、１４０  調整部、１５０  記憶部、２００  情報記憶媒体
【図１】
2007219170.tif 000003
【図２】
2007219170.tif 000004
【図３】
2007219170.tif 000005